(57)【要約】【課題】利用者に対しては娯楽性の向上を実現させ、また、コンテンツ提供者にとっては利用者を特定の地域へと誘導することを実現させたコンテンツ利用システムを提供すること。【解決手段】領域に対応付けられた部分情報を受信する部分情報受信部と、受信した部分情報を用いてコンテンツを利用するためのコンテンツ利用部と、を有し、前記コンテンツ利用部は、部分情報受信部が部分情報を受信した履歴情報を保持する受信履歴保持手段と、部分情報を受信した履歴情報が所定条件を満たしているか判断する判断手段と、判断結果が所定条件を満たしているとの判断結果である場合に前記コンテンツの利用を許可する利用許可手段と、を有する携帯端末装置を提案する。【選択図】図２
2011165219.tif 000002
【特許請求の範囲】
【請求項１】
領域に対応付けられた部分情報を受信する部分情報受信部と、
受信した部分情報を用いてコンテンツを利用するためのコンテンツ利用部と、を有し、
前記コンテンツ利用部は、
部分情報受信部が部分情報を受信した履歴情報を保持する受信履歴保持手段と、
部分情報を受信した履歴情報が所定条件を満たしているか判断する判断手段と、
判断結果が所定条件を満たしているとの判断結果である場合に前記コンテンツの利用を許可する利用許可手段と、
を有する携帯端末装置。
【請求項２】
前記所定条件とは、部分情報の受信順番について定めた条件である請求項１に記載の携帯端末装置。
【請求項３】
前記コンテンツ利用部は、受信した部分情報を結合してコンテンツを利用するための部分情報結合手段を有する請求項１又は２に記載の携帯端末装置。
【請求項４】
前記コンテンツ利用部は、部分情報として受信した、コンテンツを利用するためのキー情報である部分キー情報によって前記コンテンツを利用するキー解除コンテンツ利用手段を有する請求項１から３のいずれか一に記載の携帯端末装置。
【請求項５】
前記部分情報受信部にて受信していない部分情報を、どの領域で受信できるかを視覚的に表示する表示部をさらに有する請求項１から４のいずれか一に記載の携帯端末装置。
【請求項６】
前記部分情報受信部は、
自端末の位置情報を取得する位置情報取得手段と、
前記位置情報を部分情報の送信元に送信する位置情報送信手段と、
前記位置情報に対応付けられた部分情報を受信する位置部分情報受信手段と、
を有する請求項１から５のいずれか一に記載の携帯端末装置。
【請求項７】
領域に対応付けられた部分情報を受信する部分情報受信ステップと、
受信した部分情報を用いてコンテンツを利用するためのコンテンツ利用ステップと、を携帯端末装置に実行させるためのプログラムであって、
前記コンテンツ利用ステップは、
部分情報受信ステップが部分情報を受信した履歴情報を記録する受信履歴記録サブステップと、
部分情報を受信した履歴情報が所定条件を満たしているか判断する判断サブステップと、
判断結果が所定条件を満たしているとの判断結果である場合に前記コンテンツの利用を許可する利用許可サブステップと、
を有するプログラム。
【請求項８】
領域に対応付けられた部分情報を受信する部分情報受信ステップと、
受信した部分情報を用いてコンテンツを利用するためのコンテンツ利用ステップと、を有し、
前記コンテンツ利用ステップは、
部分情報受信ステップが部分情報を受信した履歴情報を記録する受信履歴記録サブステップと、
部分情報を受信した履歴情報が所定条件を満たしているか判断する判断サブステップと、
判断結果が所定条件を満たしているとの判断結果である場合に前記コンテンツの利用を許可する利用許可サブステップと、
を有する携帯端末装置の動作方法。
【発明の詳細な説明】
【技術分野】
【０００１】
本発明は、コンテンツ利用システムに関する。さらに詳しくは、コンテンツを利用するための情報であって、複数の領域に対応付けられている部分情報を送信し、その送信された部分情報を基にコンテンツを利用するシステムに関する。
【背景技術】
【０００２】
特定の地域でのみ特定の情報をダウンロードすることが可能なシステムの開発が各種行われている。例えば、特許文献１においては、特定の地域のエリアサーバを介したデータの受け渡し方法に関する発明が開示されている。特許文献１の発明は、携帯端末装置が所定のエリアサーバに対してアップロードしたデータを、他の携帯端末装置がそのサービスエリアに入った場合に、当該アップロードされたデータをダウンロードすることができるというものである。
【０００３】
また、特許文献２においては、携帯電話の位置情報を判断してサーバがスタンプを発行するというスタンプラリーの実施方法についての発明が開示されている。
【特許文献１】特開２００４−１４７２７６号公報
【特許文献２】特開２００４−１３９１９３号公報
【発明の開示】
【発明が解決しようとする課題】
【０００４】
しかしながら、特許文献１に記載の発明は、ある特定の地域において特定のデータのダウンロードを可能にする、という発明であり、他の地域でダウンロードするデータとの連続性がなかった。このため、他の地域で入手するデータに基づいてコンテンツを利用することができなかった。また、特許文献２に記載の発明は、スタンプラリーを電子的に実施可能にした発明であり、受信するデータそのものは、あくまでもその地域に到達したことを証明する情報に過ぎない。このため、例えばスタンプラリーの途中で、受信したデータを基にコンテンツを利用することができず、利用者にとっては娯楽性に乏しい利用方法であった。
【０００５】
そこで、本発明は、かかる課題に鑑みてなされたものであり、利用者に対しては娯楽性の向上を実現させ、また、コンテンツ提供者にとっては利用者を特定の地域へと誘導することを実現させたコンテンツ利用システムを提供することを目的とする。
【課題を解決するための手段】
【０００６】
そこで、本発明においては、かかる課題を解決するために、部分コンテンツ配信装置と、携帯端末装置と、からなるコンテンツ利用システムを提供する。部分コンテンツ配信装置は、複数の領域にそれぞれ対応付けられた複数の部分情報を保持する部分情報保持部と、携帯端末装置が前記領域のいずれか一の領域に入った場合に保持されている部分情報のうちその領域に対応付けられている部分情報をその携帯端末装置に対して送信する部分情報送信部と、を有する。携帯端末装置は、送信される部分情報を受信する部分情報受信部と、受信した部分情報を用いて一のコンテンツ及び／又は一のコンテンツの部分である部分コンテンツを利用するためのコンテンツ利用部と、を有する。
【０００７】
携帯端末装置のコンテンツ利用部は、部分情報受信部にて受信した部分情報単位で部分コンテンツを利用するための部分コンテンツ利用手段を有してもよい。また、部分コンテンツ配信装置の部分情報送信部は、部分情報として、携帯端末装置にて一のコンテンツ又は部分コンテンツを利用するためのキー情報である部分キー情報を送信する部分キー情報送信手段を有し、携帯端末装置のコンテンツ利用部は、部分情報として受信した前記部分キー情報によって前記一のコンテンツ及び／又は部分コンテンツを利用するキー解除コンテンツ利用手段を有してもよい。また、携帯端末装置のコンテンツ利用部は、受信した部分情報を結合して部分コンテンツ及び／又は一のコンテンツの全部を利用するための部分情報結合手段を有してもよい。また、携帯端末装置のコンテンツ利用部は、部分情報受信部が部分情報を受信した履歴情報を保持する受信履歴保持手段と、履歴情報が所定条件を満たしているか判断する判断手段と、判断結果が所定条件を満たしているとの判断結果である場合に限って一のコンテンツ及び／又は部分コンテンツの利用を許可する利用許可手段と、を有してもよい。また、携帯端末装置は、保持されている履歴情報に基づいて部分情報受信部で受信すべき部分情報の属性を定めた情報である許容部分情報データを保持する許容部分情報データ保持部と、許容部分情報データ保持部に保持されている許容部分情報データに基づいて部分情報受信部を制御する部分情報受信制御部と、をさらに有してもよい。また、携帯端末装置は、部分情報受信部にて受信した部分情報と、一のコンテンツを利用するために必要な全ての部分情報との相対的関係を視覚的に表示するための受信済部分表示部を有してもよい。また、携帯端末装置は、部分情報受信部にて受信した部分情報から視覚化キーを取得する視覚化キー取得部をさらに有し、前記受信済部分情報表示部は、前記取得された所定の視覚化キーを利用して所定の部分情報の視覚化をするためのキー依存受信済部分情報表示手段をさらに有してもよい。また、携帯端末装置は、利用者からの入力によりコンテンツ配信装置に対して部分情報の送信を要求する要求情報を送信する要求情報送信部をさらに有し、部分コンテンツ配信装置は、前記携帯端末装置の要求情報送信部から送信された要求情報を受信する要求情報受信部と、要求情報を受信しない限り該当する携帯端末装置に対しては部分情報の送信を許可しない部分情報送信制御部と、を有してもよい。
【発明の効果】
【０００８】
本発明によれば、利用者にとっては必ずしも全ての地域での情報を入手しなくとも、既に入手分の情報を元にコンテンツを利用することが可能となるため、娯楽性を向上させたサービスを提供することができる。また、コンテンツ提供者にとっては利用者を特定の地域に誘導することが可能となるため、コンテンツ提供に付随した様々なサービスを提供することが可能となる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
<<実施形態１>>
<実施形態１の概要>
本実施形態は、携帯端末装置が一の領域に入った場合に、部分コンテンツ配信装置からその領域に対応付けられた部分情報を送信することを特徴とするコンテンツ利用システムに関するものである。そして、携帯端末装置においては受信した部分情報を用いてコンテンツの一部を利用したり、あるいは、部分情報を複数集めて一のコンテンツを全て利用することができる。
【００１１】
図１は、本実施形態の概要を示す図である。携帯端末装置を利用する利用者は、エリアＡ、Ｂ、Ｃ、Ｄと順に移動していくと、そのぞれぞれの地域でデータＡ、Ｂ、Ｃ、Ｄを受信することができる。ここで、例えばエリアＡで受信したデータＡのみを利用して、コンテンツの一部分を利用することも可能であるし、全てのデータを受信して、一のコンテンツ全てを利用することも可能である。
【００１２】
<実施形態１の構成>
図２に本実施形態における機能ブロックの一例を示す。図２に示す本実施形態の「コンテンツ利用システム」（２００）は、「部分コンテンツ配信装置」（２１０）と、「携帯端末装置」（２２０）と、からなる。部分コンテンツ配信装置２１０は、「部分情報保持部」（２１１）と、「部分情報送信部」（２１２）と、を有する。携帯端末装置２２０は、「部分情報受信部」（２２１）と、「コンテンツ利用部」（２２２）と、を有する。
【００１３】
本件発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１４】
最初に部分コンテンツ配信装置２１０の各構成について説明する。部分コンテンツ配信装置２１０は、具体的にはＰＣやサーバなどのコンピュータ装置が該当する。
【００１５】
部分情報保持部２１１は、携帯端末装置２２０にて一のコンテンツを利用するために用いられ、複数の領域にそれぞれ対応付けられた複数の部分情報を保持するものである。「一のコンテンツ」とは、音楽、映画、テレビ番組、本などのコンテンツのことである。そして、この一のコンテンツを利用するために携帯端末装置にて用いられる情報が部分情報である。部分情報は、後の実施形態で説明するように、一のコンテンツそのものの各部分についての情報であってもよいし、あるいは、コンテンツを利用するためのキー情報であってもよい。また、部分情報は、複数の領域にそれぞれ対応付けられた情報である。複数の領域とは、各場所・地域などの物理的な範囲を示しているものである。すなわち、所定のエリアにつき所定の部分情報が対応付けられて保持されていることになる。図３は、部分情報保持部２１１に保持されている部分情報を説明するための図である。図３（ａ）では、一のコンテンツＸを構成する部分がパートＡからパートＤまで分かれている。このパートＡからパートＤまでが部分情報に該当する。そして、図３（ｂ）で示すように、複数の部分情報は、複数の領域にそれぞれ対応付けられて保持されている。
【００１６】
部分情報送信部２１２は、携帯端末装置が前記領域のいずれか一の領域に入った場合に前記保持されている部分情報のうちその領域に対応付けられている部分情報をその携帯端末装置に対して送信する。携帯端末装置がいずれか一の領域に入ったことは、様々な方法で部分コンテンツ配信装置にて検知することが可能である。図４は、携帯端末装置が一の領域に入ったことを検知する方法の一例を示す図である。例えば部分コンテンツ配信装置は、携帯電話の基地局からの情報を取得することが可能であり、基地局のエリア内に携帯端末装置が入った場合には、その携帯端末装置の識別情報と、基地局の識別情報と関連付けて取得することによって、携帯端末装置が一の領域に入ったことを検知することができる。他の例としては、部分コンテンツ配信装置はＲＦＩＤ（Radio Frequency Identification）のリーダライターからの情報を取得することが可能であり、ＲＦタグを有している携帯端末装置がリーダライターの通信領域内に入った場合には、そのＲＦタグの情報（識別情報）とリーダライターの識別情報とを関連付けて部分コンテンツ配信装置が取得することによって、携帯端末装置が一の領域に入ったことを検知することができる。また、この他の例としては、所定のエリアに配置された赤外線通信装置を用いたり、あるいは、無線ＬＡＮのアクセスポイントなどを利用して、携帯端末装置の識別情報とその領域に配置されている通信装置の識別情報とを取得することで、部分コンテンツ配信装置では、携帯端末装置が一の領域に入ったことを検知することができる。また、携帯端末装置がＧＰＳを利用して位置情報を取得して部分コンテンツ配信装置に対して送信し、部分コンテンツ配信装置においては受信した位置情報と領域範囲のデータとを比較することで、携帯端末装置が所定の領域に入ったことを認識することができる。そして、部分コンテンツ配信装置では、図３（ｂ）で示したようなテーブルを参照して、当該領域と対応付けられている部分情報を部分情報保持部から取得して、その携帯端末装置に対して送信する。部分情報の送信方法については、図４で説明したような各通信方法に応じた送信方法を採用することができる。なお、部分情報の送信タイミングについては、携帯端末装置が一の領域に入ったことの検知をトリガーとして送信してもよいし、あるいは後の実施形態で説明するように、一の領域に入った携帯端末装置から要求を受けた場合をトリガーとして、部分情報を送信してもよい。
【００１７】
本実施形態のコンテンツ利用システムにおいては、一のコンテンツに関する部分情報の保持や配信などを一の部分コンテンツ配信装置が行うことが好ましい。一の部分コンテンツ配信装置に集中的に管理・配信を行わせる場合には、システム構成の簡略化を実現させることができるという利点があるからである。
【００１８】
なお、部分コンテンツ配信装置は、複数の領域が重複したエリアに携帯端末装置が入った場合の所定のルールを有していてもよく、この場合にその所定のルールに従った部分情報を送信するとしてもよい。一例としては、重複するそれぞれの領域に対応付けられている部分情報をいずれも送信するというルールを有していてもよく、あるいは、領域に部分情報を送信する際の優先順位を関連付けておき、その優先順位の高い領域に対応する部分情報のみを送信するというルールを有していてもよい。
【００１９】
次に、携帯端末装置２２０について説明をする。携帯端末装置２２０は、具体的には携帯電話、ＰＤＡ（Personal Digital Assistants）、ＰＣ、携帯ゲーム装置、などが挙げられる。また、既に説明したようにＲＦＩＤを搭載した携帯端末装置であってもよい。
【００２０】
部分情報受信部２２１は、部分情報送信部２１２から送信される部分情報を受信する。部分情報の受信方法については、既に説明した部分コンテンツ配信装置からの送信方法に応じた受信方法を採用することができる。
【００２１】
コンテンツ利用部２２２は、受信した部分情報を用いて一のコンテンツ及び／又は一のコンテンツの部分である部分コンテンツを利用するためのものである。「受信した部分情報を用いて一のコンテンツを利用する」とは、例えばその一のコンテンツを構成するための複数の部分情報を全て受信した結果、その一のコンテンツを利用することである。また、「一のコンテンツの部分である部分コンテンツを利用する」とは、例えば受信した部分情報そのものを用いて部分コンテンツを利用することや、あるいは、受信した複数の部分情報を用いて部分コンテンツを利用することである。部分コンテンツの利用は、例えば一のコンテンツが映画の場合には、所定のパートまでの部分的な視聴をすることが挙げられる。また、一のコンテンツが音楽の場合には、所定の演奏時間までの音楽を視聴することや、あるいは、所定の楽器の演奏部分のみを視聴することが挙げられる。また、一のコンテンツが書籍である場合には、所定の章までの文章を閲覧することが挙げられる。この他、例えば映像コンテンツの場合には映像部分と、音声部分とが部分コンテンツとなってもよいし、また、映像部分や音声部分についてもさらに細分化して、例えば主人公の部分を抽出したものを部分コンテンツとしてもよい。また、同様に背景部分のみを部分コンテンツとしてもよい。これらはオブジェクト単位で符号化処理がされている場合に比較的容易に部分コンテンツとして利用することができる。
【００２２】
なお、例えば一のコンテンツが符号化されたコンテンツである場合には、部分コンテンツ毎に単独で利用可能とするために、部分コンテンツ配信装置にて各部分情報に対して再度符号化処理を行って部分情報を保持していてもよい。そして、携帯端末装置のコンテンツ利用部２２２では、部分情報のそれぞれを復号化して各部分コンテンツを利用することができる。
【００２３】
次に、「一のコンテンツ」と「部分コンテンツ」との関係について説明する。これらは相対的な関係によって定まる概念である。図５は、一のコンテンツと部分コンテンツとの関係を説明するための図である。図５（ａ）の四角部分は部分コンテンツ又は一のコンテンツを概念的に示している。ここで、図５のコンテンツ５５については、自身を構成する部分であるコンテンツ５１〜５４との関係においては、「一のコンテンツ」となる。一方で、コンテンツ５５は、自身が他のコンテンツ５６の部分となる場合には「部分コンテンツ」となる。
【００２４】
なお、部分情報は様々な態様の部分情報を利用することができる。図６は部分情報の態様例の概念を示す図である。図６では、太線の部分が「一のコンテンツ」に相当する部分であり、また、横軸が時間軸となっている図を示している。図６（ａ）は、時間毎に区切った部分情報６Ａ〜６Ｄが一のコンテンツを形成しており、一のコンテンツを時間的に分割した部分の部分コンテンツを利用できる。一方、図６（ｂ）は、一のコンテンツを所定の時間ではなく、各パート（例えば音声、映像等）によって分けた場合の例を示している。この他、例えば図６（ｃ）の斜線で示す部分のように、部分情報の中の一部分については、他の部分情報がなければ利用することができないとしてもよい。
【００２５】
<実施形態１の処理の流れ>
図７は、実施形態１での処理の流れの一例を示したものである。本実施形態における処理は、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００２６】
まず、部分コンテンツ配信装置にて、携帯端末装置がいずれか一の領域に入ったかを判断する（Ｓ７１１）。Ｓ７１１の結果、携帯端末装置が一の領域に入ったと判断した場合には、その領域に対応付けられている部分情報を取得する（Ｓ７１２）。そして、取得した部分情報をその携帯端末装置に対して送信する（Ｓ７１３）。次に、携帯端末装置においては、部分コンテンツ配信装置から送信される部分情報を受信する（Ｓ７２１）。そして、受信した部分情報を用いて一のコンテンツ及び／又は部分コンテンツを利用する（Ｓ７２２）。
【００２７】
<実施形態１のコンテンツ利用構成>
次に、実施形態１におけるコンテンツの利用例について説明する。以下では、受信した部分情報を結合してコンテンツを利用する例について説明する。図８は、実施形態１におけるコンテンツを利用する際の利用構成例の一例を示したブロック図である。図８で示す「コンテンツ利用システム」（８００）は、「部分コンテンツ配信装置」（８１０）と、「携帯端末装置」（８２０）と、からなる。部分コンテンツ配信装置８１０は、「部分情報保持部」（８１１）と、「部分情報送信部」（８１２）と、を有する。携帯端末装置８２０は、「部分情報受信部」（８２１）と、「コンテンツ利用部」（８２２）と、を有する。コンテンツ利用部８２２は、「部分情報結合手段」（８２３）を有する。部分情報結合手段８２３を除く各構成については既に説明したものと同様である。
【００２８】
部分情報結合手段８２３は、受信した部分情報を結合して部分コンテンツ及び／又は一のコンテンツの全部を利用するためものである。部分情報を結合してコンテンツを利用することによって、利用者に対して娯楽性を向上させたコンテンツ利用方法を提供させることができる。また、利用者は各部分コンテンツ単独ではなく、複数の部分コンテンツを利用するため、複数の領域に利用者が必然的に立ち入ることが想定される。このため、コンテンツ提供者にとっては利用者の誘導を容易に行うことが可能となるため、広告配信やマーケティング情報の収集など、付加的なサービスを提供する際の相乗効果が期待できる。なお、部分情報には、一のコンテンツの部分そのものである部分コンテンツのほか、後の実施形態で説明するコンテンツを利用するためのキー情報も含まれる。よって、受信した部分情報を結合することには、キー情報を結合して復号キーとして生成することも含まれるものである。
【００２９】
なお、「一のコンテンツ」は、どの部分情報を結合したかに応じて全く異なるコンテンツを構成することが可能であってもよい。図９（ａ）は、例えばデパートや駅などの柱部分の近傍を一の領域として通信領域などを設定している例である。ここで、例えば各柱の近傍を通る順序などによって、図９（ｂ）で示すように、一のコンテンツの内容が異なってもよい。
【００３０】
<実施形態１の他の処理の流れ>
図１０は、部分情報を結合する際の携帯端末装置における処理の流れの一例を示す図である。携帯端末装置においては、部分コンテンツ配信装置から部分情報を受信する（Ｓ１００１）。その後、Ｓ１００１にて受信した部分情報である部分コンテンツを、他の受信した部分コンテンツと結合する（Ｓ１００２）。そして、結合した結果得られる部分コンテンツ及び／又は一のコンテンツを利用する（Ｓ１００３）。
【００３１】
<実施形態１の具体的構成態様>
図１１は、本実施形態におけるコンテンツ利用システムの具体的構成態様の一例を示す図である。図１１（ａ）は、部分コンテンツ配信装置の一例を示す図である。部分コンテンツ配信装置は、部分情報保持部としてのＨＤ（ハードディスク）１１０３や、部分情報送信部としてのＣＰＵ１１０１、ＲＡＭ１１０２、Ｉ／Ｏ１１０４や、システムバス１１０５などから構成されるサーバ装置が該当する。そして、例えばＲＡＭの所定アドレスに格納されている常駐プログラムをＣＰＵが起動している場合において、携帯端末装置が領域に入ったとの情報がＩ／Ｏを介して通知されると、ＣＰＵはＲＡＭの所定のアドレスに格納されているプログラムを参照以下で述べる各種の命令を出力する。まず、ＣＰＵは、ＨＤの所定アドレスに格納されている領域データテーブルをＲＡＭに一時的に記憶させて参照し、携帯端末装置が入った領域に関するテーブルを検索する。そして、ＣＰＵは、その領域と対応する部分情報が格納されているＨＤの所定アドレスを取得し、当該部分情報をＨＤから読み出してＲＡＭに一時的に記憶させる。そして、ＣＰＵは、ＲＡＭに記憶したその部分情報をＩ／Ｏを介して携帯端末装置に対して送信する命令を出力する。
【００３２】
一方、図１１（ｂ）は、携帯端末装置の一例を示す図である。携帯端末装置は、部分情報受信部としてのＩ／Ｏ１１１４や、コンテンツ利用部としてのＣＰＵ１１１１、ＲＡＭ１１１２、ＨＤ１１１３や、システムバス１１１５などから構成されるコンピュータ装置である。そして、例えばＲＡＭの所定アドレスに格納されている常駐プログラムをＣＰＵが起動している場合において、Ｉ／Ｏを通じて部分情報を受信した場合には、その部分情報をＲＡＭやＨＤの所定アドレスに格納するようにＣＰＵが命令する。そして、コンテンツを利用する場合には、ＲＡＭやＨＤの所定アドレスに格納されている部分情報を利用して部分コンテンツ又は一のコンテンツを利用することができる。具体的には、ＣＰＵが図外のディスプレイへ部分情報を表示させるための命令を出力したり、あるいは、図外のスピーカーを介して音声データを出力させるための命令を出力したりする。
【００３３】
<実施形態１の効果>
実施形態１に記載のコンテンツ利用システムは、携帯端末装置が一の領域に入ってきたときに、複数の領域にそれぞれ対応付けられた部分情報のうち、その領域に対応付けられている部分情報を送信することで、携帯端末装置の利用者にとっては娯楽性の高いコンテンツ利用システムを提供することが可能となる。また、コンテンツを配信する側にとっても、利用者を所定の領域に誘導することが可能となるため、付随的な様々サービスを提供することが可能となる。
【００３４】
<<実施形態２>>
<実施形態２の概要>
実施形態２は、受信した部分情報そのものを利用して部分コンテンツを利用可能なコンテンツ利用システムに関するものである。
【００３５】
<実施形態２の構成>
図１２に本実施形態における機能ブロックの一例を示す。図１２に示す本実施形態の「コンテンツ利用システム」（１２００）は、「部分コンテンツ配信装置」（１２１０）と、「携帯端末装置」（１２２０）と、からなる。部分コンテンツ配信装置１２１０は、「部分情報保持部」（１２１１）と、「部分情報送信部」（１２１２）と、を有する。携帯端末装置１２２０は、「部分情報受信部」（１２２１）と、「コンテンツ利用部」（１２２２）と、を有する。コンテンツ利用部１２２２は、「部分コンテンツ利用手段」（１２２３）を有する。部分コンテンツ利用手段１２２３を除く各構成については実施形態１で説明したものと同様であるため、ここでの説明は省略する。
【００３６】
携帯端末装置の部分コンテンツ利用手段１２２３は、部分情報受信部１２２１にて受信した部分情報単位で部分コンテンツを利用するためのものである。すなわち、携帯端末装置は一の領域に入った場合に部分コンテンツ配信装置から受信する部分情報のみを用いて全体コンテンツの一部である部分コンテンツを利用する点が本実施形態の特徴である。このため、本実施形態においては、部分コンテンツ配信装置から送信される部分情報が、キー情報ではなく、コンテンツそのものの一部分であることが必要となる。このように、部分コンテンツを利用可能であることによって、例えばスタンプラリーなどで途中で脱落する者にとっては途中まで受信した部分コンテンツを利用することができるため、娯楽性を損なわずに済む。一方、途中で脱落しない者にとっても、部分情報を受信する度にコンテンツの一部を確認することができるため、遊戯性の高いシステムを提供することができる。
【００３７】
図１３は、遊戯性の高いシステムの一例を示す図である。図１３はテーブルの上で神経衰弱を行う場合の例を示している。すなわち、テーブル上に「一の領域」が狭小な範囲で複数存在しており、一のコンテンツとしての「トランプのカード遊技」を利用するための情報として、部分コンテンツ配信装置から「トランプのカード情報」に関する部分情報が送信される。このため、利用者は携帯端末装置を利用した全く新しい形態の神経衰弱を実施することができる。図１３では、利用者は、例えば携帯端末装置をテーブルの所定の領域に入れた場合には、そのテーブルの領域に応じた部分コンテンツとしてのカード情報を受信することができる。このように、「一の領域」とは、必ずしも広い地域でなくてもよい。図１３では神経衰弱の例について説明をしたが、このほか従来には存在しなかった全く新しい遊技を実施することも可能となる。
【００３８】
<実施形態２の処理の流れ>
図１４は、実施形態２における携帯端末装置における処理の流れの一例を示す図である。まず、コンテンツ配信装置から送信される部分情報を受信する（Ｓ１４０１）。そして、受信した部分情報単位で部分コンテンツを利用する（Ｓ１４０２）。なお、Ｓ１４０１の後に即座にＳ１４０２を実行してもよいし、所定の操作処理をトリガーにしてＳ１４０２を実行してもよい。例えば、部分コンテンツを受信した場合には、その部分コンテンツを即座に利用（視聴等）せずに、一時的に記憶装置などに記憶させておき、ユーザからの利用指示をトリガーにしてその記憶した部分コンテンツを利用してもよい。
【００３９】
<実施形態２の効果>
実施形態２においては、携帯端末装置が受信した部分情報単位で部分コンテンツを利用可能であるため、利用者にとっては娯楽性や遊戯性の向上が期待でき、また、コンテンツ提供者にとっては利用者の所定の領域への誘導の促進が期待できる。
【００４０】
<<実施形態３>>
<実施形態３の概要>
実施形態３は、実施形態２と異なり、受信する部分情報がコンテンツを利用するためのキー情報である点が特徴である。
【００４１】
<実施形態３の構成>
図１５に本実施形態における機能ブロックの一例を示す。図１５に示す本実施形態の「コンテンツ利用システム」（１５００）は、「部分コンテンツ配信装置」（１５１０）と、「携帯端末装置」（１５２０）と、からなる。部分コンテンツ配信装置１５１０は、「部分情報保持部」（１５１１）と、「部分情報送信部」（１５１２）と、を有する。部分情報送信部１５１２は、「部分キー情報送信手段」（１５１３）を有する。携帯端末装置１５２０は、「部分情報受信部」（１５２１）と、「コンテンツ利用部」（１５２２）と、を有する。コンテンツ利用部１５２２は、「キー解除コンテンツ利用手段」（１５２３）を有する。「部分キー情報送信手段」（１５１３）と、「キー解除コンテンツ利用手段」（１５２３）と、を除く各構成については実施形態１で説明したものと同様であるため、ここでの説明は省略する。
【００４２】
部分コンテンツ配信装置の部分キー情報送信手段１５１３は、部分情報として、携帯端末装置にて一のコンテンツ及び／又は部分コンテンツを利用するためのキー情報である部分キー情報を送信するものである。すなわち、本実施形態においては、部分情報がコンテンツそのものの一部分ではなく、コンテンツを利用するための部分キー情報として送信される点が特徴である。部分キー情報は、既に暗号化された一のコンテンツ又は部分コンテンツを利用するために必要な解除キーの情報である。部分コンテンツ配信装置は多くの不特定多数の利用者に対して情報を送信するため、例えばＲＳＡ方式の公開鍵方式を利用することが望ましい。
【００４３】
携帯端末装置のキー解除コンテンツ利用手段１５２３は、部分情報として受信した前記部分キー情報によって前記一のコンテンツ及び／又は部分コンテンツを利用する。部分キー情報によってコンテンツを利用する方法は複数ある。図１６は、部分キー情報を利用する例を説明するための図である。図１６（ａ）においては、部分キー情報によって利用できるコンテンツが一のコンテンツの一部分である部分コンテンツである場合の例を示している。図１６（ａ）の例では、各領域で受信する部分キー情報を利用して部分コンテンツを復号させる。そして、復号した各部分コンテンツをそのまま利用したり、あるいは、復号した部分コンテンツを結合して利用したりすることができる。また、図１６（ｂ）の例では、部分キー情報自体を全ての領域で入手して、その部分キー情報を結合することによって、全体コンテンツである一のコンテンツを利用する例を示している。すなわち、一のコンテンツ全てを利用するためのキー情報Ｘを利用するためには、部分キー情報（キーＡ´〜キーＤ´）を全て入手して結合することでキー情報Ｘを利用することが可能となる。なお、いずれの方法を採用するにせよ、暗号化などされたコンテンツ自体については、例えばコンテンツ配信装置から受信したり、あるいは、事前又は事後に携帯端末装置の記録媒体などに記録するなどして別手段にて取得する必要がある。
【００４４】
<実施形態３の他の態様>
なお、実施形態３は次のような態様として構成されていてもよい。コンテンツ配信装置においては、部分情報保持部に代えて、携帯端末装置にて一のコンテンツを利用するために用いられ、複数の領域にそれぞれ対応付けられた複数の部分情報として、携帯端末装置にて一のコンテンツ及び／又は一のコンテンツの部分である部分コンテンツを利用するためのキー情報である部分キー情報を保持する部分キー情報保持部を有してもよい。また、部分情報送信部に代えて、携帯端末装置が前記領域のいずれか一の領域に入った場合に前記保持されている部分キー情報のうちその領域に対応付けられている部分キー情報をその携帯端末装置に対して送信する部分キー情報送信部を有してもよい。また、携帯端末装置においては、一のコンテンツ及び／又は部分コンテンツを保持するコンテンツ保持部を有してもよい。そして、部分情報受信部に代えて、部分キー情報送信部から送信される部分キー情報を受信する部分キー情報受信部を有してもよい。また、コンテンツ利用部に代えて、受信した部分キー情報によって、保持されている一のコンテンツ及び／又は部分コンテンツを利用するためのキー解除コンテンツ利用部を有してもよい。すなわち、実施形態３の他の態様としては、あらかじめ携帯端末装置にコンテンツが全て保持されており、その状態において部分コンテンツ配信装置から部分キー情報が送信される態様である。これにより、携帯端末装置においては、部分キー情報を受信することによって、自身があらかじめ保持している各コンテンツを利用することができる。
【００４５】
<実施形態３の処理の流れ>
図１７は、実施形態３における処理の流れの一例を示す図である。最初に部分コンテンツ配信装置における処理の流れを説明する。Ｓ１７１１に関しては実施形態１で説明したものと同様である。Ｓ１７１２においては、その領域に対応付けられている部分情報として、部分キー情報を取得する。そして、Ｓ１７１３においては、取得した部分キー情報をその携帯端末装置に対して送信する。携帯端末装置においては、部分コンテンツ配信装置から送信される部分キー情報を受信する（Ｓ１７２１）。そして、受信した部分キー情報によって一のコンテンツ及び／又は部分コンテンツを利用する（Ｓ１７２２）。
【００４６】
<実施形態３の効果>
本実施形態においては部分情報としてキー情報を部分コンテンツ配信装置から携帯端末に対して送信することにより、コンテンツ配信時の負荷を低減させることができる。すなわち、コンテンツ自体については事前又は事後にネットワーク経由や、記録媒体経由、放送波経由などによって取得しておくことによって、部分情報としてのキー情報を送信する場合の負荷を低減させることが可能となり、安定した部分情報の送信処理を実現することができる。
【００４７】
<<実施形態４>>
<実施形態４の概要>
実施形態４は、受信した部分情報の履歴情報を利用することによって、部分情報が適切な順番で受信されなければコンテンツの利用をすることができないことを特徴とするコンテンツ利用システムに関するものである。
【００４８】
<実施形態４の構成>
図１８に本実施形態における機能ブロックの一例を示す。図１８に示す本実施形態の「コンテンツ利用システム」（１８００）は、「部分コンテンツ配信装置」（１８１０）と、「携帯端末装置」（１８２０）と、からなる。部分コンテンツ配信装置１８１０は、「部分情報保持部」（１８１１）と、「部分情報送信部」（１８１２）と、を有する。携帯端末装置１８２０は、「部分情報受信部」（１８２１）と、「コンテンツ利用部」（１８２２）と、を有する。コンテンツ利用部１８２２は、「受信履歴保持手段」（１８２３）と、「判断手段」（１８２４）と、「利用許可手段」（１８２５）と、を有する。「受信履歴保持手段」（１８２３）と、「判断手段」（１８２４）と、「利用許可手段」（１８２５）と、を除く各構成については実施形態１で説明したものと同様であるため、ここでの説明は省略する。また、実施形態２又は３を基本として「受信履歴保持手段」（１８２３）と、「判断手段」（１８２４）と、「利用許可手段」（１８２５）とを有する構成をとることもできる。
【００４９】
携帯端末装置の受信履歴保持手段１８２３は、部分情報受信部が部分情報を受信した履歴情報を保持するものである。履歴情報とは、部分情報を受信した履歴に関する情報のことである。例えば、パートＡ、Ｂ、Ｃ、Ｄの順番で部分情報を受信した場合には、この受信した順番についての情報を保持する。なお、履歴情報は部分情報のヘッダなどに付されているシーケンス番号をそのまま利用してもよい。
【００５０】
判断手段１８２４は、履歴情報が所定条件を満たしているか判断する。所定条件とは、例えば部分情報の受信順番について定めた条件である。所定条件に関しては、携帯端末装置にてあらかじめ保持されていたり、あるいは、コンテンツ配信装置や、別個の記録媒体などから事前に取得して保持されているものである。
【００５１】
利用許可手段１８２５は、判断結果が所定条件を満たしているとの判断結果である場合に限って一のコンテンツ及び／又は部分コンテンツの利用を許可するものである。したがって、例えば部分情報の受信順番が所定条件と異なっている場合には、一のコンテンツや部分コンテンツを利用することができなくなる。なお、例えば部分情報の受信順番が所定条件と異なっている場合には、部分コンテンツ自体の利用は許可するが、部分情報を結合した全体コンテンツである一のコンテンツを利用することを許可しないとしてもよい。なお、コンテンツの利用の許可がされない場合の処理の一例としては、その部分情報にスクランブル処理を行うことが挙げられる。また、履歴情報は、例えば部分コンテンツと、部分キー情報とのぞれぞれの履歴を別個に有していてもよい。そして、この場合には、両者の論理積によって利用許可をするかを判断してもよい。
【００５２】
<実施形態４の処理の流れ>
図１９は、実施形態４の携帯端末装置における処理の流れの一例を示した図である。Ｓ１９０１については実施形態１で説明したものと同様である。Ｓ１９０２においては、部分情報を受信した履歴情報を受信履歴保持手段としての記録媒体へ書き込む。そして、Ｓ１９０３では、Ｓ１９０２にて追記された履歴情報を読み出す。そして、Ｓ１９０４において、履歴情報が所定条件を満たすか否かの判断を行う。履歴情報が所定条件を満たすと判断した場合には、Ｓ１９０５に進み、一のコンテンツ及び／又は部分コンテンツの利用を許可する。そして、Ｓ１９０６にて、実施形態１で説明したようにコンテンツを利用する。一方、Ｓ１９０４において履歴情報が所定条件を満たさないと判断した場合には、その後の処理を行わない。
【００５３】
<実施形態４の具体的構成態様>
図２０は、実施形態４における携帯端末装置の具体的構成態様の一例を示す図である。携帯端末装置は、部分情報受信部としてのＩ／Ｏ２００４や、コンテンツ利用部の受信履歴保持手段としてのＨＤ２００３や、コンテンツ利用部の判断部、利用許可手段としてのＣＰＵ２００１、ＲＡＭ２００２や、システムバス２００５などから構成されるコンピュータ装置である。そして、例えばＲＡＭの所定アドレスに格納されている常駐プログラムをＣＰＵが起動している場合において、Ｉ／Ｏを通じて部分情報を受信した場合には、その部分情報をＲＡＭやＨＤの所定アドレスに格納するようにＣＰＵが命令するとともに、部分情報のヘッダに含まれるシーケンス番号をＲＡＭやＨＤの別個のアドレスに格納する。そして、コンテンツを利用する場合には、ＲＡＭやＨＤの所定のアドレスに格納されている受信順序を記載したテーブルを参照して、シーケンス番号の並び順とテーブルに記載されている所定条件とが一致するかをＣＰＵが判断する。そして、条件と一致した場合には、ＲＡＭやＨＤの所定アドレスに格納されている部分情報を利用して部分コンテンツ又は一のコンテンツを利用することができる。具体的には、ＣＰＵが図外のディスプレイへ部分情報を表示させるための命令を出力したり、あるいは、図外のスピーカーを介して音声データを出力させるための命令を出力したりする。
【００５４】
<実施形態４の効果>
本実施形態においては、部分情報を受信した履歴についての情報を保持しておき、その履歴情報が所定条件を満たしているかによってコンテンツの利用の可否を決定することができる。このため、利用者は適切な順序にて所定の領域に入る必要が生じるため、娯楽性や遊戯性をより一層向上させることができる。また、コンテンツ提供者にとっては、利用者の移動順序を特定することが可能となるため、より一層の付加サービスを提供することが可能となる。
【００５５】
<<実施形態５>>
<実施形態５の概要>
実施形態５は、部分情報を受信する際に、適切な順序などで部分情報が受信されなければ部分情報の受信処理自体が正常に行われないことを特徴とするコンテンツ利用システムに関するものである。
【００５６】
<実施形態５の構成>
図２１に本実施形態における機能ブロックの一例を示す。図２１に示す本実施形態の「コンテンツ利用システム」（２１００）は、「部分コンテンツ配信装置」（２１１０）と、「携帯端末装置」（２１２０）と、からなる。部分コンテンツ配信装置２１１０は、「部分情報保持部」（２１１１）と、「部分情報送信部」（２１１２）と、を有する。携帯端末装置２１２０は、「部分情報受信部」（２１２１）と、「コンテンツ利用部」（２１２２）と、「受信履歴情報保持部」（２１２３）と、「許容部分情報データ保持部」（２１２４）と、「部分情報受信制御部」（２１２５）を有する。「受信履歴保持部」（２１２３）と、「許容部分情報データ保持部」（２１２４）と、「部分情報受信制御部」（２１２５）とを除く各構成については実施形態１で説明したものと同様であるため、ここでの説明は省略する。また、「受信履歴保持部」（２１２３）については、実施形態４で説明した受信履歴保持手段と同様の機能を備えたものであるため、ここでの説明は省略する。なお、実施形態２又は３を基本として、「受信履歴保持部」（２１２３）と、「許容部分情報データ保持部」（２１２４）と、「部分情報受信制御部」（２１２５）と、を有する構成をとることもできる。
【００５７】
携帯端末装置の許容部分情報データ保持部２１２４は、保持されている履歴情報に基づいて部分情報受信部で受信すべき部分情報の属性を定めた情報である許容部分情報データを保持する。部分情報の属性とは、その部分情報が受信に適した部分情報であるか、あるいは受信に適していない部分情報であるかについての性質を示したものである。図２２は、許容部分情報データを説明するための図である。図２２においては、許容部分情報データは、履歴情報に基づいて受信すべき部分情報の属性を定めた情報となっている。例えば図２２（ａ）に示すように、履歴情報にて、部分コンテンツのパートＡを受信済の状態となっている場合においては次に受信すべき部分情報はパートＢの部分情報を受信すべきものとなる。したがって、許容部分情報データにおいては、パートＢの部分情報を受信する場合のみ、その受信する部分情報を正常な部分情報として許可するようにフラグなどが設定され、その他の部分情報を受信した場合には、その部分情報を正常な部分情報として許可をしないようにフラグなどの設定がなされることになる。
【００５８】
部分情報受信制御部２１２５は、許容部分情報データ保持部２１２４に保持されている許容部分情報データに基づいて部分情報受信部２１２１を制御する。部分情報受信部を制御するとは、部分情報を受信した場合に、その部分情報を正当な部分情報と判断してその後の処理に使用するための処理を実行したり、あるいは、その部分情報を不当な部分情報と判断してその後の処理に使用しないようにするために、例えば受信した部分情報を破棄するように制御を行うことが挙げられる。図２２を例に説明する。まず、図２２（ａ）の状態において、パートＢに関する部分情報を受信した場合には、部分情報のヘッダを参照して、その受信した部分情報がパートＢについての部分情報であるとの情報を取得する。そして、そのパートＢの部分情報が受信が許容される部分情報であるかを許容部分情報データのフラグを参照して判断する。図２２（ａ）の場合には、受信が許容されるため、部分情報受信制御部はそのまま受信したパートＢについての部分情報をその後の処理に利用させるため、受信した部分情報の破棄等の処理は行わない。なお、その後履歴情報にはパートＢについての部分情報を受信したという履歴が追加されるため、これに連動して許容部分情報データについても変更されることになる。図２２（ｂ）はパートＢについての部分情報を受信した後の許容部分情報データを説明するための図である。図２２（ｂ）においては、パートＢの部分情報まで順番に受信がされたとの履歴情報に基づいて、許容部分情報データでは、パートＣについての部分情報を受信した場合にのみ、部分情報のその後の処理を許容するようにフラグなどの設定が行われることになる。この図２２（ｂ）の状態において、例えば再度パートＢについての部分情報が受信された場合には、許容される部分情報ではないため、部分情報受信部を制御して受信したパートＢについての部分情報を破棄等する処理が行われることになる。このように、許容部分情報データは、部分情報を受信する毎に履歴情報と連動して情報が変更されることになる。
【００５９】
<実施形態５の処理の流れ>
図２３は、実施形態５における携帯端末装置における処理の流れの一例を示す図である。まず、部分コンテンツ配信装置から送信される部分情報を受信する（Ｓ２３０１）。次に、Ｓ２３０１にて受信した部分情報が許容される受信すべき部分情報であるかを判断する（Ｓ２３０２）。Ｓ２３０２にて、受信すべき部分情報でないと判断した場合には、そのＳ２３０１にて受信した部分情報を破棄し（Ｓ２３０３）、その後の処理を終了する。一方、Ｓ２３０２にて、受信すべき部分情報であると判断した場合にはＳ２３０４に進みその後の処理を実行する。なお、Ｓ２３０４以降の処理の流れについては実施形態４で説明したものと同様であるため、ここでの説明は省略する。
【００６０】
<実施形態５の具体的構成態様>
図２４は、実施形態５における携帯端末装置の具体的構成態様の一例を示す図である。受信履歴保持部や、許容部分情報データ保持部としてのＨＤ２４０３や、部分情報受信制御部としてＣＰＵ２４０１、ＲＡＭ２４０２を除く各部の具体的構成態様については実施形態４で説明したものと同様である（実施形態４に相当する部分については図示を省略する）。Ｉ／Ｏを通じて部分情報を受信した場合には、ＣＰＵは、部分情報のヘッダに含まれるシーケンス番号をＲＡＭの所定アドレスに書き込む。そして、ＨＤからＲＡＭに読み出された許容部分情報データ、履歴情報などと、シーケンス番号との比較処理を実行し、受信許容フラグが立っている場合には、その部分情報をＲＡＭやＨＤなどの所定の領域に格納する。一方、受信許容フラグが立っていない場合には、その部分情報を破棄してＲＡＭやＨＤなどの所定の領域に格納しない。また、その後のコンテンツの利用処理の実行も行わない。
【００６１】
<実施形態５の効果>
本実施形態においては、部分情報受信部にて受信すべき部分情報の属性を定めた情報である許容部分情報データに基づいて部分情報受信部を制御することにより、受信した部分情報が適切な受信順序でない場合には、その部分情報の受信処理自体を正常に完了させないようにすることが可能となる。このため、利用者にとっては一の領域に入る順序を間違えたことを容易に判断することが可能となるため、娯楽性や遊戯性をより一層向上させたコンテンツ利用システムを提供することが可能となる。
【００６２】
<<実施形態６>>
<実施形態６の概要>
実施形態６は、どの部分情報を受信して、どの部分情報をまだ受信していないかを視覚的に表示することを可能にしたことにより、利用者が未受信の部分情報を容易に把握することが可能となる。
【００６３】
<実施形態６の構成>
図２５に本実施形態における機能ブロックの一例を示す。図２５に示す本実施形態の「コンテンツ利用システム」（２５００）は、「部分コンテンツ配信装置」（２５１０）と、「携帯端末装置」（２５２０）と、からなる。部分コンテンツ配信装置２５１０は、「部分情報保持部」（２５１１）と、「部分情報送信部」（２５１２）と、を有する。携帯端末装置２５２０は、「部分情報受信部」（２５２１）と、「コンテンツ利用部」（２５２２）と、「受信済部分表示部」（２５２３）と、を有する。「受信済部分表示部」（２５２３）を除く各構成については実施形態１で説明したものと同様であるため、ここでの説明は省略する。また、実施形痛２から５を基本として「受信済部分表示部」（２５２３）を有する構成をとることも可能である。
【００６４】
携帯端末装置の受信済部分表示部２５２３は、部分情報受信部にて受信した部分情報と、一のコンテンツを利用するために必要な全ての部分情報との相対的関係を視覚的に表示するためのものである。図２６には、受信済部分表示部における表示画面の一例を示す図である。図２６の例では、一のコンテンツを利用するための必要な全ての部分情報は、パートＡ，Ｂ，Ｃ，Ｄの４つの部分情報となっている。そして、パートＡとパートＢの部分情報を既に受信している状態において、パートＤの部分情報を受信中の状態となっている表示例を示している。この場合には、例えば受信済みのパートＡ、Ｃの部分は網掛け斜線にて既に受信済であることが表示され、また、現在受信中のパートＤの部分に関しては受信中である表示をＧＵＩなどによって表示したり、また、現在受信中であることを視覚的に表示するために当該パートＤの部分を半分網掛け表示にしたり、点滅させたりして視覚的に表示することができる。また、未受信のパートBの部分情報については、例えば未受信であることをＧＵＩなどによって表示したり、あるいは、未受信であること視覚的に表示するために、網掛け表示をしなかったりすることができる。さらに、未受信の部分情報がある場合には、どの領域でその部分情報を受信できるかを視覚的に表示することも可能である。なお、これらの表示は液晶、プラズマ、有機ＥＬ（electroluminescence display）などのディスプレイを利用して表示することができる。
【００６５】
<実施形態６の処理の流れ>
図２７は、実施形態６における携帯端末装置の処理の流れの一例を示した図である。まず、部分コンテンツ配信装置から送信される部分情報を受信する（Ｓ２７０１）。そして、受信した部分情報と、一のコンテンツを利用するために必要な全ての部分情報との相対的関係を視覚的に表示する（Ｓ２７０２）。その後Ｓ２７０３のようにコンテンツの利用を行うことも可能である。
【００６６】
<実施形態６の具体的構成態様>
図２８は、実施形態６における携帯端末装置の具体的構成態様の一例を示す図である。受信済部分表示部を除く各構成態様については実施形態１で説明したものと同様であるため、ここでの説明は省略する。携帯端末装置は受信済部分表示部としてのグラフィックコントローラ２８０６を有している。グラフィックコントローラは、ＣＰＵからの表示命令を受けて図外のディスプレイに対して表示処理を実行する。
【００６７】
<実施形態６の効果>
本実施形態においては、受信した部分情報と、一のコンテンツを利用するために必要な全ての部分情報との相対的関係を視覚的に表示することを可能としたことにより、利用者にとっては、全体コンテンツを利用するために必要な未受信の部分情報を視覚的に容易に把握することが可能となるため、娯楽性をより一層向上させることが可能となる。また、未受信の部分情報が容易に把握することができるため、利用者が既に情報を受信済みの領域に繰り返し侵入することを防止することが可能となるため、部分情報送信時のトラフィックの軽減が期待できる。
【００６８】
<<実施形態７>>
<実施形態７の概要>
実施形態７は、実施形態６で説明した視覚的な表示を行うためには視覚化キーを必要とするコンテンツ利用システムに関するものである。
【００６９】
<実施形態７の構成>
図２９に本実施形態における機能ブロックの一例を示す。図２９に示す本実施形態の「コンテンツ利用システム」（２９００）は、「部分コンテンツ配信装置」（２９１０）と、「携帯端末装置」（２９２０）と、からなる。部分コンテンツ配信装置２９１０は、「部分情報保持部」（２９１１）と、「部分情報送信部」（２９１２）と、を有する。携帯端末装置２９２０は、「部分情報受信部」（２９２１）と、「コンテンツ利用部」（２９２２）と、「受信済部分表示部」（２９２３）と、「視覚化キー取得部」（２９２４）と、を有する。受信済部分表示部２９２３は、「キー依存受信済部分情報表示手段」（２９２５）を有する。「視覚化キー取得部」（２９２４）と、「キー依存受信済部分情報表示手段」（２９２５）と、を除く各構成については実施形態６で説明したものと同様であるため、ここでの説明は省略する。
【００７０】
携帯端末装置の視覚化キー取得部２９２４は、部分情報受信部２９２１にて受信した部分情報から視覚化キーを取得する。視覚化キーは部分情報の一部に含まれてていてもよいし、あるいは、部分情報が視覚化キーそのものであってもよい。視覚化キーは実施形態６で説明したような表示を行う際に必要なキーである。
【００７１】
受信済部分表示部のキー依存受信済部分情報表示手段２９２５は、前記取得された所定の視覚化キーを利用して所定の部分情報の視覚化をするためのものである。所定の視覚化キーを利用して所定の部分情報の視覚化をするとは、例えばパートＡの部分情報を受信したことを視覚的に表示する際には、そのパートＡに部分に対応した視覚化キーを用いて表示を行うことが挙げられる。あるいは、複数の視覚化キーを取得し、その視覚化キーを組み合わせることによって初めて一部の部分情報の表示を行うことができるとすることも可能である。
【００７２】
<実施形態７の処理の流れ>
図３０は、実施形態７における携帯端末装置の処理の流れの一例を示した図である。まず、部分コンテンツ配信装置から部分情報を受信する（Ｓ３００１）。そして、受信した部分情報から視覚化キーを取得する（Ｓ３００２）。次に、Ｓ３００２にて取得した視覚化キーを利用して受信した部分情報と、一のコンテンツを利用するために必要な全ての部分情報との相対的関係を視覚的に表示する（Ｓ３００３）。なお、Ｓ３００４以降の処理の流れについては実施形態６で説明したものと同様であるため、ここでの説明は省略する。
【００７３】
<実施形態７の具体的構成態様>
図３１は、実施形態７における携帯端末装置の具体的構成態様の一例を示す図である。視覚化キー取得部を除く各構成態様については実施形態６で説明したものと同様であるため、ここでの説明は省略する。携帯端末装置は、視覚化キー取得部としてのＣＰＵ３１０１や、ＲＡＭ３１０２を有する。ＣＰＵは、Ｉ／Ｏを通じて受信して所定のＲＡＭのアドレスに格納した部分情報から視覚化キーを読出して、ＲＡＭの他の所定アドレスに格納する。そして、ＲＡＭに格納されている部分情報についての表示を行う場合にＲＡＭの所定のアドレスに格納されている視覚化キーを読み出して、その視覚化キーによって部分情報を表示させるか否かの判断を行う。そして、視覚化キーによって部分情報の表示を行う場合にはＣＰＵは、グラフィックコントローラに対して命令を出力して図外のディスプレイに部分情報の表示をさせる。
【００７４】
<実施形態７の効果>
実施形態７は、部分情報の相対的関係を視覚的に表示する際に視覚化キーを利用することによって、部分情報の表示それ自体をも利用者に対して娯楽性を提供することができる。
【００７５】
<<実施形態８>>
<実施形態８の概要>
実施形態８は、一の領域に入った携帯端末装置からの送信要求があった場合にのみ、携帯端末装置に対して部分情報を送信する部分コンテンツ配信装置を有することを特徴とするコンテンツ利用システムに関するものである。
【００７６】
<実施形態８の構成>
図３２に本実施形態における機能ブロックの一例を示す。図３２に示す本実施形態の「コンテンツ利用システム」（３２００）は、「部分コンテンツ配信装置」（３２１０）と、「携帯端末装置」（３２２０）と、からなる。部分コンテンツ配信装置３２１０は、「部分情報保持部」（３２１１）と、「部分情報送信部」（３２１２）と、「要求情報受信部」（３２１３）と、「部分情報送信制御部」（３２１４）と、を有する。携帯端末装置３２２０は、「部分情報受信部」（３２２１）と、「コンテンツ利用部」（３２２２）と、「要求情報送信部」（３２２３）と、を有する。「要求情報受信部」（３２１３）と、「部分情報送信制御部」（３２１４）と、「要求情報送信部」（３２２３）と、を除く構成については実施形態１で説明したものと同様であるため、ここでの説明は省略する。また、実施形態２から７を基本として「要求情報受信部」（３２１３）と、「部分情報送信制御部」（３２１４）と、「要求情報送信部」（３２２３）と、を有する構成をとることもできる。
【００７７】
携帯端末装置の要求情報送信部３２２３は、利用者からの入力によりコンテンツ配信装置に対して部分情報の送信を要求する要求情報を送信する。例えば一の領域に利用者が入った場合に、自動的に部分コンテンツ配信装置から部分情報が送信されるのではなく、携帯端末装置からの要求によって初めて部分情報の受信が行われることになる。
【００７８】
部分コンテンツ配信装置の要求情報受信部３２１３は、前記携帯端末装置の要求情報送信部から送信された要求情報を受信する。また、部分情報送信制御部３２１４は、要求情報を受信しない限り該当する携帯端末装置に対しては部分情報の送信を許可しない。このように、携帯端末装置からの要求を受けた場合に初めて部分情報の送信を許可することにより、例えば本システムと無関係のユーザが一の領域に入った場合に、無条件に部分情報を送信することを防止することができる。また、重複領域を通る場合に、再度の部分情報の受信を行わずに済む。
【００７９】
<実施形態８の処理の流れ>
図３３は、実施形態８における処理の流れの一例を示す図である。まず、携帯端末装置から部分コンテンツ配信装置に対して部分情報の送信を要求する（Ｓ３３２１）。そして、部分コンテンツ配信装置においては、要求情報を受信したかを判断する（Ｓ３３１１）。要求情報を受信していない場合には、部分コンテンツ配信装置においてはその後の処理は行わない。一方、Ｓ３３１１にて要求情報を受信したと判断した場合には、その領域に対応する部分情報を要求情報を送信した携帯端末装置に対して送信する（Ｓ３３１２）。なお、以降の部分コンテンツ配信装置の処理と、携帯端末装置の処理については実施形態１で説明したものと同様であるため、ここでの説明は省略する。
【００８０】
<実施形態８の具体的構成態様>
図３４は、実施形態８における具体的構成態様の一例を示す図である。図３４（ａ）は、部分コンテンツ配信装置の具体的構成態様を示した図である。要求情報受信部と、部分情報送信制御部とを除く各構成については実施形態１で説明したものと同様であるため、ここでの説明は省略する。部分コンテンツ配信装置は、要求情報受信部や部分情報送信制御部としてのＣＰＵ３４０１、ＲＡＭ３４０２、Ｉ／Ｏ３４０２などを有している。ここで、Ｉ／Ｏを通じて要求情報を受信した場合には、ＣＰＵは、その要求情報をＲＡＭに一時的に格納し、要求情報に含まれている携帯端末装置の識別情報や、送信元の領域を示す情報を読み出して、ＲＡＭの所定アドレスに一時的に書き込む。そして、ＣＰＵは、ＲＡＭやＨＤに格納されている部分情報を、送信元の携帯端末装置に対して送信するための命令を出力する。
【００８１】
一方、図３４（ｂ）は、携帯端末装置の具体的構成態様の一例を示す図である。要求情報送信部を除く各構成については実施形態１で説明したものと同様であるため、ここでの説明は省略する。携帯端末装置は、要求情報送信部としてのＩ／Ｏを有している。ここでＣＰＵは、Ｉ／Ｏを介してユーザからの所定の動作の入力を検知した場合には、部分コンテンツ配信装置に対して送信するための要求情報として、自身の識別情報や部分コンテンツ配信装置のＩＰアドレスなどをＲＡＭの所定アドレスに一時的に書き込む。そして、ＣＰＵは、ＲＡＭに書き込んだ要求情報をＩ／Ｏを介して部分コンテンツ配信装置に対して送信するための命令を出力する。
【００８２】
<実施形態８の効果>
実施形態８においては、部分コンテンツ配信装置は、携帯端末装置からの部分情報の要求を受けた場合に限り、部分情報の送信を行うため、本システムを利用しないユーザが領域内に入った場合に無条件で部分情報を送信することを防止することが可能となるため、トラフィックを低減させることができる。また、利用者にとっても各領域を移動している途中で本コンテンツ利用システムの利用を中止したい場合には、単に利用者が端末操作を行わなければよいため、ユーザビリティを向上させることができる。
【図面の簡単な説明】
【００８３】
【図１】実施形態１を説明するための概念図
【図２】実施形態１を説明するための機能ブロック図
【図３】部分情報を説明するための図
【図４】携帯端末装置が一の領域に入ったことを検知する例を示す図
【図５】一のコンテンツと部分コンテンツとの関係を説明するための図
【図６】部分情報の態様例を説明するための図
【図７】実施形態１の処理の流れを説明するための図
【図８】実施形態１の利用例を説明するための機能ブロック図
【図９】実施形態１の部分情報の取得例を示す図
【図１０】実施形態１の利用例の携帯端末装置における処理の流れを説明する図
【図１１】実施形態１の具体的構成態様を示す図
【図１２】実施形態２を説明するための機能ブロック図
【図１３】実施形態２を利用した遊戯方法の一例を示す図
【図１４】実施形態２の携帯端末装置の処理の流れを説明する図
【図１５】実施形態３を説明するための機能ブロック図
【図１６】実施形態３の部分キー情報を説明するための図
【図１７】実施形態３の処理の流れを説明する図
【図１８】実施形態４を説明するための機能ブロック図
【図１９】実施形態４の携帯端末装置の処理の流れを説明する図
【図２０】実施形態４の具体的構成態様を示す図
【図２１】実施形態５を説明するための機能ブロック図
【図２２】実施形態５の許容部分情報データを説明するための図
【図２３】実施形態５の携帯端末装置の処理の流れを説明する図
【図２４】実施形態５の具体的構成態様を示す図
【図２５】実施形態６を説明するための機能ブロック図
【図２６】実施形態６の表示画面の一例を示す図
【図２７】実施形態６の携帯端末装置の処理の流れを説明する図
【図２８】実施形態６の具体的構成態様を示す図
【図２９】実施形態７を説明するための機能ブロック図
【図３０】実施形態７の携帯端末装置の処理の流れを説明する図
【図３１】実施形態７の具体的構成態様を示す図
【図３２】実施形態８を説明するための機能ブロック図
【図３３】実施形態８の処理の流れの一例を示す図
【図３４】実施形態８の具体的構成態様を示す図
【符号の説明】
【００８４】
２００    コンテンツ利用システム
２１０    部分コンテンツ配信装置
２１１    部分情報保持部
２１２    部分情報送信部
２２０    携帯端末装置
２２１    部分情報受信部
２２２    コンテンツ利用部
【図１】
2011165219.tif 000003
【図２】
2011165219.tif 000004
【図３】
2011165219.tif 000005
【図４】
2011165219.tif 000006
【図５】
2011165219.tif 000007
【図６】
2011165219.tif 000008
【図７】
2011165219.tif 000009
【図８】
2011165219.tif 000010
【図９】
2011165219.tif 000011
【図１０】
2011165219.tif 000012
【図１１】
2011165219.tif 000013
【図１２】
2011165219.tif 000014
【図１３】
2011165219.tif 000015
【図１４】
2011165219.tif 000016
【図１５】
2011165219.tif 000017
【図１６】
2011165219.tif 000018
【図１７】
2011165219.tif 000019
【図１８】
2011165219.tif 000020
【図１９】
2011165219.tif 000021
【図２０】
2011165219.tif 000022
【図２１】
2011165219.tif 000023
【図２２】
2011165219.tif 000024
【図２３】
2011165219.tif 000025
【図２４】
2011165219.tif 000026
【図２５】
2011165219.tif 000027
【図２６】
2011165219.tif 000028
【図２７】
2011165219.tif 000029
【図２８】
2011165219.tif 000030
【図２９】
2011165219.tif 000031
【図３０】
2011165219.tif 000032
【図３１】
2011165219.tif 000033
【図３２】
2011165219.tif 000034
【図３３】
2011165219.tif 000035
【図３４】
2011165219.tif 000036